(57)【特許請求の範囲】
【請求項１】
第１側部と、前記第１側部に対向する第２側部とから構成される側部の上方部を一体化するとともに、下方部を相互に離反可能とする包装体であって、
前記第１側部と前記第２側部のいずれか一方に、前記側部の離反状態で被包装物を収容可能な開口部を形成し、
前記第１側部における左右方向の側縁から延設され、少なくとも載置片を備える延設部を有し、
前記第１側部に前記載置片が貼着される支持片を有してなり、
前記離反状態にて、前記支持片を引き起こし前記側部の内側方向へ折曲するとともに、前記載置片を上方から重合させて底部を形成することを特徴とする包装体。
【請求項２】
第１側部と、前記第１側部に対向する第２側部とから構成され、上下方部を相互に離反可能とする包装体であって、
前記第１側部と前記第２側部のいずれか一方に、前記側部の離反状態で被包装物を視認可能な開口部を形成し、
前記第１側部における左右方向の側縁から延設され、少なくとも載置片を備える延設部を有し、
前記第１側部に前記載置片が貼着される支持片を有してなり、
前記離反状態にて、前記支持片を引き起こし前記側部の内側方向へ折曲するとともに、前記載置片を上方から重合させて底部を形成することを特徴とする包装体。
【請求項３】
前記第１側部と前記第２側部のいずれか一方に、前記離反状態で上方部を閉蓋する蓋部を備える請求項２に記載の包装体。
【請求項４】
前記支持片は、折曲部を介して上方支持片と下方支持片とを有してなり、前記載置片が前記上方支持片に貼着される請求項１から請求項３のいずれか１項に記載の包装体。
【請求項５】
前記載置片は、前記離反状態にて前記側部を外側方向へ押圧する当接片を備える請求項１から請求項４のいずれか１項に記載の包装体。
【請求項６】
前記延設部は、前記載置片に連設し、前記離反状態にて前記底部の下方に配設して前記底部を補強する補強片を備える請求項１から請求項５のいずれか１項に記載の包装体。
【請求項７】
前記開口部は、前記開口部における縁部から内側方向へ突出し、前記被包装物を保持する保持部を備える請求項１から請求項６のいずれか１項に記載の包装体。
【請求項８】
前記延設部は、前記第２側部に貼着される貼着片を備える請求項１から請求項７のいずれか１項に記載の包装体。
【発明の詳細な説明】
【技術分野】
【０００１】
本発明は、包装体に関するものであって、特に被包装物を露呈させた状態、又は一部を外部から視認可能にした状態で収容する自立可能な包装体に関するものである。
【背景技術】
【０００２】
従来より、被包装物の下面を置き台上等から離間させた状態で自立させる包装体の包装用台紙が公知である。
【０００３】
例えば、第１シート片と、第１シート片に向かい合って重ねられ、左側縁及び右側縁において連設された第２シート片とを有して扁平状に形成され、両シート片の上方部が一体化され、両シート片の下方部が互いに離反可能に構成されており、両シートの片の少なくとも何れか一方に下方部を離反させたときにその離反状態を保持する保持片が設けられ、保持片が、第１シート片から延設された第１保持部と、第２シート片から延設された第２保持部とから構成され、第１保持部が第１シート片から延設された第１連結片と、第１連結片から延設された第１介在片とを有し、第２保持部が第２シート片から延設された第２連結片と、第２連結片から延設された第２介在片とを有し、第１介在片と第２介在片が向かい合って重ねられているとともに、第１介在片と第２介在片がその先端側の領域にて接着されている包装用台紙が公知である（特許文献１参照）。
【先行技術文献】
【特許文献】
【０００４】
【特許文献１】特開２０１４−１４１２９７号
【発明の概要】
【発明が解決しようとする課題】
【０００５】
しかしながら、上記構造の包装用台紙においては、両シート片の下方から保持片が延設されており、その先端部を接着し、これらを離反した両シート片の下方部から内側方向へ押し込むことにより、被包装物を載置するスペースを確保しているため、当該載置スペースをより上方へと配設するためには、さらに内側方向へ押し込んで組み立てる必要があり、組立作業が煩雑になり生産性の低下が懸念されるものであった。
【０００６】
そこで、本発明はこのような問題点を解決するものであって、被包装物の形状に即した載置スペースを確保することができ、生産性の向上を図る包装体を提供することを課題とする。
【課題を解決するための手段】
【０００７】
前記問題点を解決するために、本発明の請求項１に記載の包装体は、第１側部と、前記第１側部に対向する第２側部とから構成される側部の上方部を一体化するとともに、下方部を相互に離反可能とする包装体であって、前記第１側部と前記第２側部のいずれか一方に、前記側部の離反状態で被包装物を収容可能な開口部を形成し、前記第１側部における左右方向の側縁から延設され、少なくとも載置片を備える延設部を有し、前記第１側部に前記載置片が貼着される支持片を有してなり、前記離反状態にて、前記支持片を引き起こし前記側部の内側方向へ折曲するとともに、前記載置片を上方から重合させて底部を形成することを特徴とするものである。
【０００８】
また、本発明の請求項２に記載の包装体は、第１側部と、前記第１側部に対向する第２側部とから構成され、上下方部を相互に離反可能とする包装体であって、前記第１側部と前記第２側部のいずれか一方に、前記側部の離反状態で被包装物を視認可能な開口部を形
成し、前記第１側部における左右方向の側縁から延設され、少なくとも載置片を備える延設部を有し、前記第１側部に前記載置片が貼着される支持片を有してなり、前記離反状態にて、前記支持片を引き起こし前記側部の内側方向へ折曲するとともに、前記載置片を上方から重合させて底部を形成することを特徴とするものである。
【０００９】
また、本発明の請求項３に記載の包装体は、請求項２に記載の包装体において、前記支持片は、前記第１側部と前記第２側部のいずれか一方に、前記離反状態で上方部を閉蓋する蓋部を備えるものである。
【００１０】
また、本発明の請求項４に記載の包装体は、請求項１から請求項３のいずれか１項に記載の包装体において、前記支持片は、折曲部を介して上方支持片と下方支持片とを有してなり、前記載置片が前記上方支持片に貼着されるものである。
【００１１】
また、本発明の請求項５に記載の包装体は、請求項１から請求項４のいずれか１項に記載の包装体において、前記載置片は、前記離反状態にて前記側部を外側方向へ押圧する当接片を備えるものである。
【００１２】
また、本発明の請求項６に記載の包装体は、請求項１から請求項５のいずれか１項に記載の包装体において、前記延設部は、前記載置片に連設し、前記離反状態にて前記底部の下方に配設して前記底部を補強する補強片を備えるものである。
【００１３】
また、本発明の請求項７に記載の包装体は、請求項１から請求項６のいずれか１項に記載の包装体において、前記開口部は、前記開口部における縁部から内側方向へ突出し、前記被包装物を保持する保持部を備えるものである。
【００１４】
また、本発明の請求項８に記載の包装体は、請求項１から請求項７のいずれか１項に記載の包装体において、前記延設部は、前記第２側部に貼着される貼着片を備えるものである。
【発明の効果】
【００１５】
本発明の包装体では、第１側部の左右方向に延設される延設部に載置片を設けるとともに、第１側部に形成される支持片に載置片を貼着することで、側部の内部に底部を形成することができる。これにより、側部における上下方向の所定位置に底部を形成することができ、被包装物の形状に即した載置スペースを確保することができ、従来品と比較して生産性の向上を図ることができる。
【図面の簡単な説明】
【００１６】
【図１】本発明の実施例１における包装体を展開した状態の裏面図である。
【図２】本発明の実施例１における包装体の延設部を折曲させた状態の裏面図である。
【図３】本発明の実施例１における包装体を組み立てた状態の正面図である。
【図４】本発明の実施例１における包装体の図３のＡ−Ａ断面図である。
【図５】本発明の実施例１における包装体の図３の底面図である。
【図６】本発明の実施例１における包装体に被包装物を収容した状態の正面図である。
【図７】本発明の実施例２における包装体を展開した状態の裏面図である。
【図８】本発明の実施例２における包装体の延設部を折曲させた状態の裏面図である。
【図９】本発明の実施例２における包装体を組み立てた状態の正面図である。
【図１０】本発明の実施例２における包装体の図９のＡ−Ａ断面図である。
【図１１】本発明の実施例２における包装体の図９の底面図である。
【図１２】本発明の実施例２における包装体に被包装物を収容した状態の正面図である。
【図１３】本発明の実施例２における包装体の別仕様の斜視図である。
【図１４】本発明の実施例３における包装体を展開した状態の裏面図である。
【図１５】本発明の実施例３における包装体を組み立てた状態の正面図である。
【図１６】本発明の実施例３における包装体の図１５のＡ−Ａ断面図である。
【図１７】本発明の実施例３における別仕様の包装体を展開した状態の裏面図である。
【図１８】本発明の実施例３における別仕様の包装体の縦断面図である。
【発明を実施するための形態】
【００１７】
以下、本発明の実施の形態における包装体を図面に基づいて説明する。当該包装体を自立させた状態を基準として、基準面側を当該包装体の下方とし、他方を当該包装体の上方とする。また、展開図において、縦方向を上下方向とし、横方向を左右方向とする。
【００１８】
当該包装体は、第１側部と第２側部とから構成される側部の上方部を一体化するとともに、下方部を相互に離反可能となるよう構成するか、又は上下方部を相互に離反可能となるよう構成され、第１側部と第２側部のいずれか一方に、側部の離反状態で被包装物を収容可能な開口部を形成し、第１側部と第２側部のいずれか一方で、左右方向の側縁から延設され、少なくとも載置片を備える延設部を有し、第１側部と第２側部のいずれか一方に載置片が貼着される支持片を有してなり、離反状態にて、支持片を引き起こし側部の内側方向へ折曲するとともに、載置片を上方から重合させて底部を形成するものである。これにより、側部の内部に形成される底部にボトル、チューブ等の被包装物を載置可能とするとともに、他の部分を露呈した状態、又は一部を外部から視認可能にした状態で収容空間に収容することができるものである。
【実施例１】
【００１９】
本発明に係る包装体は、図１から図６に示すように、一枚の合成樹脂製、厚紙等のシート材、台紙等から形成されており、図１に示すような展開図からなるものである。図１は、当該包装体を展開した状態の裏面図である。
【００２０】
包装体は展開した状態において、側部を構成する２枚の第１側部１と第２側部２とを折線ａを介して横方向に連接している。本実施例においては、例えば、第１側部１を表側板とし、第２側部２を裏側板としており、第１側部１の右端に載置片９を備える延設部３が設けられる。そして、第２側部２、第１側部１、延設部３とを折線ａ、ｂを介して左右方向に順次連接している。
【００２１】
側部は、第１側部１と第２側部２の相互を貼着することで、折り畳み状態で扁平状となるよう形成され、組み立て状態にて、側部の上方部が一体化され、下方部が相互に離反可能となるよう構成される。また、離反状態において、第１側部１に形成される開口部１４によって、被包装物Ｂを収容する収容空間１５が側部に露呈され、当該収容空間１５の下方には被包装物Ｂを載置する底部１６が形成される。
【００２２】
第１側部１と第２側部２は、例えば、略長方形状に形成され、両上端部には包装体をフック等に係止可能とする係止孔１ａ、２ａが設けられる。また、第１側部１の下端は、第２側部２の下端より下方へ突出して形成され、包装体の離反状態で自立可能となるよう湾曲状に形成される。
【００２３】
また、第１側部１には、側部の離反状態にて、被包装物Ｂを収容する際の開口部１４を形成するための切込線と、底部１６を構成する支持片７を形成するための切込線とが設けられる。当該切込線は、例えば、第１側部１における左右方向の略中央部に設けられるが、被包装物Ｂを収容する位置によって、適宜の位置とすることができるのは勿論である。また、切込線は、例えば、第１側部１を厚み方向に切断する連続線とされるが、部分的に接続部を有するようなミシン目、ハーフカット等とすることもできる。
【００２４】
より詳細には、切込線は、第１側部１の上下方向に設けられる左右一対の第１線４と、左右方向の第１線４を連結する第２線５とからなる。第１線４は、第１側部１に対して開口貼着片６と支持片７の外形を形成するものであり、第２線５は、開口貼着片６と支持片７とを区画するものである。
【００２５】
当該第１線４における左右方向の寸法は、収容される被包装物Ｂの外形と略同等の形状を少なくとも有するようにして形成される。また、第１線４の上端部は、開口貼着片６が不用意に切断するのを防止するため、第１側部１の内側方向へ円弧状に湾曲して形成することが望ましい。また、第１線４の下端部は、支持片７を折曲させる際の折線ｃにて連結される。
【００２６】
さらに、第１線４における上下方向の所定箇所には、被包装物Ｂを収容するための収容空間１５の内側方向（左右方向）へ突出し、被包装物Ｂを保持するための保持部８が設けられる。すなわち、当該保持部８は、離反時にて、開口部１４における縁部から内側方向へ突出して設けられる。保持部８は、例えば、収容空間１５の内側方向に向けて湾曲するように形成されるが、これに限られるものではなく、凸状であってもよいし、波型状等と特に制限されるものではない。また、保持部８は、被包装物Ｂを保持し得る位置であれば、第１線４の上方部、略中央部、下方部等、特に制限されるものではないし、複数の箇所に設けて被包装物Ｂを保持することもできる。
【００２７】
また、第２線５は、例えば、第１線４と同様にして、第１側部１を厚み方向に切断する連続線とすることができるが、分断可能なハーフカット、ミシン目等で形成することが望ましい。これにより、開口貼着片６と支持片７とを連結しておくことで、側部の組み立て前に開口貼着片６、支持片７が折れ曲がってしまうのを防止することができる。
【００２８】
支持片７は、被包装物Ｂが載置される後述の載置片９を下方から支持するために設けられ、折曲部となる折線ｄを介して上方支持片７ａと下方支持片７ｂに区画される。また、支持片７は、上方支持片７ａと下方支持片７ｂとによって折曲した状態で支持するため、当該折線ｄを支持片７における上下方向の略中央部に設けることが望ましい。
【００２９】
開口貼着片６は、第２側部２に貼着されることで、側部の離反状態にて開口部１４を形成するために設けられる。より詳細には、離反状態にて、開口貼着片６が第２側部２に追従することで、第１線４に沿って第１側部１から分離して開口部１４を形成するとともに、側部の内部に収容空間１５を形成するものである。
【００３０】
また、第１側部１の右端部には、延設部３が延設される。当該延設部３は、少なくとも載置片９を備えてなり、当該載置片９を第１側部１の支持片７に貼着することで、側部の離反状態にて底部１６を構成するものである。
【００３１】
具体的には、延設部３には、折線ｂに隣接するようにして、第１側部１における上下方向の寸法と略同等の貼着片１０が設けられる。また、貼着片１０には、第１側部１にて支持片７が位置する上下方向の位置に対応するようにして載置片９が左右方向に設けられる。このとき、載置片９と貼着片１０における左右方向の寸法は、第１側部１における左右方向の寸法と略同等となるよう設定される。また、載置片９における上下方向の寸法は、側部の離反状態にて、当該側部の内部に介在し得る寸法であって、第１側部１と第２側部２に内側から当接して支持し得るよう設定される。
【００３２】
また、載置片９の下端には、折線ｅを介して貼着片１０に連接される補強片１１が左右方向に設けられる。当該折線ｅは、貼着される第２側部２における離反時の形状に沿うように円弧状に設けられる。また、載置片９と貼着片１０との境界には、折線ｅにて載置片
９を折曲可能とするための第３線１２が折線ｅに至るまで設けられる。当該第３線１２は、例えば、載置片９の上端部から下方へ直線状に設けられ、第１線４及び第２線５と同様にして、第１側部１を厚み方向に切断する連続線等とされる。
【００３３】
このとき、側部の内部に形成される底部１６の上面と開口部１４の下端部とが略同一面上となるよう、第２側部２の折線ｃと延設部３の折線ｅとが夫々対応するようにして設けることが望ましい。
【００３４】
また、補強片１１は、貼着片１０とともに第２側部２に貼着されることで、側部の離反状態にて底部１６の下方に配設され、底部１６を補強するものである。本実施例においては、延設部３における貼着片１０、載置片９及び補強片１１は、図１の展開図において略Ｌ字状となるよう形成される。
【００３５】
また、載置片９の右端部には、離反時における側部の内部形状に沿うよう円弧状に形成される折線ｆを介して当接片１３が設けられる。当該当接片１３は、側部の離反状態にて第１側部１を外側方向へ押圧することで、被包装物Ｂの重量によって底部１６が下方へ沈降するのを防止するものである。
【００３６】
また、図１に示すように、第１側部１の裏面部において、第１側部１の上方部、開口貼着片６、上方支持片７ａには、糊等が塗布される貼着部Ｐが設けられる。また、延設部３の表面部において、貼着片１０、補強片１１には、糊等が塗布される貼着部Ｐが設けられる。
【００３７】
このようにして、展開図が形成される包装体は、次のようにして組み立てられる。以下の組み立て順序は一例であり、これに限られるものではないのは勿論である。
【００３８】
まず、図２に示すように、折線ｂにしたがって延設部３を第１側部１側の内側方向へ折曲させ、載置片９を上方支持片７ａに貼着する。そして、第１側部１の貼着部Ｐ、延設部３における貼着片１０の貼着部Ｐ、補強片１１の貼着部Ｐを第２側部２に貼着して、第１側部１と第２側部２を重合させて側部を形成し、扁平状とする。
【００３９】
次に、側部の下方部を離反させる際には、第２側部２の下端部より下方側へ突出して形成される第１側部１の下端部に指をかけて、第１側部１と第２側部２とを離反させる。これにより、開口貼着片６が第２側部２に貼着されるので、第１側部１から分離されて第１線４に沿って開口部１４が形成される。また、延設部３の載置片９が上方支持片７ａに貼着されるので、支持片７を折線ｄを介して折曲し、側部の下方へ押し込んで底部１６を形成し、図３から図６に示すように、側部を自立可能な状態とする。
【００４０】
より詳細には、離反時に第１側部１の第２線５を分断した後、図４及び図５に示すように、上方支持片７ａに貼着される載置片９を第１側部１に対して略直交するように折線ｅを介して側部の内側へ折曲させる。これにより、上方支持片７ａが載置片９に追従することで、折線ｄを介して支持片７が側部の内部にて谷折りされることで、下方支持片７ｂの上方に上方支持片７ａが重合されるとともに、上方支持片７ａの上方に載置片９が重合される。これにより、被包装物Ｂを載置する底部１６が構成される。このとき、載置片９に設けられる当接片１３を折線ｆを介して内部にて谷折りさせることで、当該当接片１３が第１側部１の内側面を外側方向へ押圧する。
【００４１】
このようにして、側部の内部にて、支持片７と載置片９とが第１側部１と第２側部２に対して略直交するように配設されることで、側部における下方部の離反状態が維持される。そして、図６に示すように、被包装物Ｂが載置された状態においては、底部１６が側部
の下端部から上方へと浮き上がった状態となるよう構成されるため、緩衝性、意匠性に優れたものとなる。
【００４２】
また、図６においては、包装体の下方部に底部１６が形成されるものであるが、開口貼着片６、支持片７及び載置片９の位置を適宜変更することで、包装体の略中央部に底部（図示しない）を形成することもできるし、これに限られない。
【００４３】
このとき、被包装物Ｂを収容する開口部１４は、第１側部１の対向する第１線４から収容空間１５内に突出する保持部８を有してなるので、被包装物Ｂの外形を保持した状態で底部１６に載置することができる。また、載置片９は、第２側部２に貼着される補強片１１を介して折曲されるとともに、２つ折りされる支持片７の上方から重合されるので、被包装物Ｂの重量による撓みが防止される。さらに、当接片１３が第１側部１の内側面を外側方向へ押圧するので、被包装物Ｂの重量による下方への沈降を防止し、補強的に離反状態を維持することができる。
【００４４】
以上、説明した本発明に係る包装体によれば、第１側部１の左右方向に延設される延設部３に載置片９を設けるとともに、第１側部１に形成される支持片７に載置片９を貼着することで、側部の内部に底部１６を形成することができる。これにより、側部における上下方向の所定位置に底部１６を形成することができ、被包装物Ｂの形状に即した載置スペースを確保することができ、従来品と比較して生産性の向上を図ることができる。
【実施例２】
【００４５】
本発明の実施例２に係る包装体について、図７から図１２に基づいて説明する。本実施例における包装体は、実施例１における構造と略同様であるが、支持片７と離反時における開口部１４の構造が実施例１と相違するものである。詳細につき、以下に説明する。
【００４６】
本実施例における包装体は、図７に示すような展開図からなり、図７は、当該包装体を展開した状態の裏面図である。当該包装体は、例えば、第１側部１を裏側板とし、第２側部２を表側板としており、第１側部１の右端に載置片９を備える延設部３が設けられる。そして、第２側部２、第１側部１、延設部３とを折線ａ、ｂを介して左右方向に順次連接するのは同様である。
【００４７】
実施例２においては、例えば、第１側部１に支持片７が形成され、第２側部２に開口部１４が形成される。より詳細には、支持片７は、実施例１と同様にして、第１側部１の下方部にて、第１側部１の上下方向に設けられる左右一対の第１線４と、左右方向における第１線４の上端部を連結する第２線５と、左右方向における第１線４の下端部を連結する折線ｃとからなる。第１線４及び第２線５は、第１側部１と支持片７とを区画するものである。また、支持片７には、左右方向に折線ｄが設けられ、上方支持片７ａと下方支持片７ｂとを区画している。
【００４８】
また、開口部１４は、第２側部２の略中央部から下方部にかけて、第２側部２の上下方向に設けられる左右一対の第１線４と、左右方向における第１線４の上下端部を連結する第２線５とからなる。すなわち、実施例１と相違して、第２側部２の一部が開口した状態となる。このとき、側部の内部に形成される底部１６の上面と開口部１４の下端部とが略同一面上となるよう、第２側部２における下方側の第２線５と延設部３の折線ｅとが夫々対応するようにして設けることが望ましい。また、実施例１と同様にして、第１線４に保持部８を設けることができるのは勿論である。また、実施例１と相違して、第２側部２の下端部が第１側部１の下端部よりも下方へ突出して形成される。
【００４９】
このようにして、展開図が形成される実施例２の包装体は、実施例１と略同様に組み立
てられる。まず、図８に示すように、折線ｂにしたがって延設部３を第１側部１側の内側方向へ折曲させ、載置片９を上方支持片７ａに貼着する。そして、第１側部１の貼着部Ｐ、延設部３における貼着片１０の貼着部Ｐ、補強片１１の貼着部Ｐを第２側部２に貼着して、第１側部１と第２側部２を重合させて側部を形成し、扁平状とする。
【００５０】
次に、側部の下方部を離反させる際には、第１側部１の下端部より下方側へ突出して形成される第２側部２の下端部に指をかけて、第１側部１と第２側部２とを離反させる。これにより、延設部３の載置片９が上方支持片７ａに貼着されるので、支持片７を折線ｄを介して折曲し、側部の下方へ押し込んで底部１６を形成し、図９から図１２に示すように、側部を自立可能な状態とする。
【００５１】
より詳細には、第１側部１の第２線５を分断した後、図１０及び図１１に示すように、上方支持片７ａに貼着される載置片９を第１側部１に対して略直交するように折線ｅを介して側部の内側へ折曲させる。これにより、上方支持片７ａが載置片９に追従することで、折線ｄを介して支持片７が側部の内部にて谷折りされることで、下方支持片７ｂの上方に上方支持片７ａが重合されるとともに、上方支持片７ａの上方に載置片９が重合される。これにより、被包装物Ｂを載置する底部１６が構成される。このとき、載置片９に設けられる当接片１３を折線ｆを介して内部にて谷折りさせることで、当該当接片１３が第１側部１の内側面を外側方向へ押圧する。
【００５２】
このようにして、側部の内部にて、支持片７と載置片９とが第１側部１と第２側部２に対して略直交するように配設されることで、側部における下方部の離反状態が維持される。このとき、図１０及び図１２に示すように、被包装物Ｂを収容する開口部１４は、実施例１のように開口貼着片６によることなく第２側部２自体に形成されるものであり、第２側部２の対向する第１線４から収容空間１５内に突出する保持部８を有してなるので、被包装物Ｂの外形を保持した状態で底部１６に載置することができる。また、実施例１と同様にして、開口貼着片６、支持片７及び載置片９の位置を適宜変更することで、図１３に示すように、包装体の略中央部に底部１６を形成することもできるし、これに限られない。その他の作用、効果等については、実施例１と同様である。
【実施例３】
【００５３】
本発明の実施例３に係る包装体について、図１４から図１８に基づいて説明する。本実施例における包装体は、実施例１及び実施例２における構造と略同様であるが、組み立て状態にて、側部の上方部においても相互に離反する構造が相違するものである。詳細につき、以下に説明する。
【００５４】
本実施例における包装体は、図１４に示すような展開図からなり、図１４は、当該包装体を展開した状態の裏面図である。当該包装体は、例えば、第１側部１を表側板とし、第２側部２を裏側板としており、第１側部１の右端に載置片９を備える延設部３が設けられる。そして、第２側部２、第１側部１、延設部３とを折線ａ、ｂを介して左右方向に順次連接するのは同様である。
【００５５】
実施例３において、第２側部２の上端部には、折線ｇを介して蓋部１７が設けられる。具体的には、折線ｇを介して蓋部片１８が設けられ、蓋部片１８の上端部には折線ｈを介して折曲片１９が設けられる。さらに、折曲片１９の上端部には、折線ｉを介して蓋部１７の開蓋作業を容易とするための引き上げ片２０を適宜箇所に設けることが望ましい。
【００５６】
本実施例においては、側部にて形成される内部空間が略楕円形状に形成されるため、蓋部片１８がこれに対応するよう略楕円形状に形成されるとともに、折曲片１９が湾曲する第１側部１に対応するように形成される。また、引き上げ片２０は、折曲片１９の略中央
部から上方へ突出するようにして舌片状に形成される。
【００５７】
また、第１側部１には、実施例１と同様にして、開口部１４を形成する切込線と、支持片７を形成するための切込線とが設けられる。具体的には、切込線は、第１側部１の上下方向に設けられる左右一対の第１線４と、左右方向の第１線４を連結する第２線５とからなる。第１線４は、被包装物Ｂに当接する内側当接片２１と支持片７の外形を形成するものである。上方に位置する第２線５は、第１線４を連結するものであり、下方に位置する第２線５は、内側当接片２１と支持片７とを区画するものである。また、第１線４の下端部は、支持片７を折曲させる際の折線ｃにて連結される。
【００５８】
また、内側当接片２１の略中央部には上下方向に切込線２２が設けられており、これによって左右に分断される一対の内側当接片２１が第１線４を介して可動可能となるよう構成される。さらに、実施例１と同様にして、第１線４に保持部８を設けることができるし、本実施例においては、被包装物Ｂは、側部の内部に収容されることから保持部８を設けない構成とすることができるのは勿論である。
【００５９】
このようにして、展開図が形成される実施例３の包装体は、実施例１及び実施例２と略同様に組み立てられる。そして、図１５及び図１６に示すように、側部の下方部が離反された状態においては、上方における第１側部１及び第２側部２が離反した状態となる。後に、蓋部片１８を折線ｇを介して第１側部１側へ折曲するとともに、折曲片１９を折線ｈを介して下方側へ折曲することにより、引き上げ片２０を折線ｉを介して上方へ立設させた状態とすることで、蓋部１７によって上方部を閉蓋することができる。
【００６０】
これにより、側部の内部にて、支持片７、載置片９及び蓋部片１８とが第１側部１と第２側部に対して略直交するように配設されることで、側部における上下方部の離反状態が維持され、底部１６に載置した状態で被包装物Ｂを側部の内部に収容することができる。また、一対の内側当接片２１によって、被包装物Ｂが側部の内部にて傾くのを防止したり、左右方向への移動を規制したりすることができるとともに、開口部１４によって、被包装物Ｂを側部の外部から視認することができる。その他の作用、効果等については、実施例１及び実施例２と同様である。
【００６１】
また、本実施例においては、第１側部１に内側当接片２１を設けることなく、開口部１４を形成することもできるのは勿論である。さらに、図１７及び図１８に示すように、包装体をフック等に係止する際に、第１側部１を補強する側部補強片２３を形成することもできる。具体的には、組み立て状態にて、蓋部１７より上方における第１側部１の外形に対応するようにして形成される側部補強片２３を第１側部１の上端部に折線ｊを介して設け、側部補強片２３の上端部に折線ｋを介して解除片２４を設けるとともに、側部補強片２３と解除片２４の境界位置にて、解除片２４側へ突状に形成される係止片２５を設けてなる。
【００６２】
また、蓋部片１８と折曲片１９の境界位置にて、係止片２５より外形が小さく形成されるとともに、折曲片１９の折曲状態にて当該境界位置に係止孔を形成するよう、蓋部片１８側に突状に形成される突片２６が形成される。
【００６３】
このような側部補強片２３を備える側部においては、蓋部片１８及び折曲片１９を折曲して蓋部１７を形成するとともに、折線ｊを介して側部補強片２３を第２側部２側へ折り返して第１側部１の裏面に重合させ、解除片２４を折線ｋを介して折曲させて蓋部片１８の上方へ重合させる。これにより、係止片２５が解除片２４より下方へ向けて突出した状態となり、折曲片１９の折曲状態にて形成される係止孔（図示しない）に係止片２５を係止することで、第１側部１を補強するとともに、蓋部１７に係止させた態様とすることが
できる。
【００６４】
これらの実施例３において、蓋部１７においては、第２側部２に設ける構成に限られることなく、第１側部１に設ける構成とすることもでき、第１側部１又は第２側部２のいずれか一方に形成されてあればよい趣旨である。さらに、蓋部１７、側部補強片２３を設けない構成とし、組み立て状態にて上方部を開口した構成とすることができるのは勿論である。また、開口部１４においては、第１側部１に設ける構成に限られることなく、第２側部２に設ける構成とすることもでき、第１側部１又は第２側部２のいずれか一方に形成されてあればよい趣旨である。
【００６５】
上記実施例１から実施例３に示すように、支持片７と載置片９との関係においては、支持片７が形成される第１側部１、第２側部２のいずれかの左右方向に載置片９が延設されており、折り畳み状態で側部の内部にて両者が貼着され、離反状態にて側部の内部で載置片９が内側方向へ折曲されるとともに、支持片７を追従して折曲させ、載置片９が上方に位置するよう両者を重合し、底部１６を構成するような態様であればよい趣旨である。
【００６６】
その他、実施例１及び実施例２における第１側部１と第２側部２においては、上記実施例のように左右方向に順次連接するものに限られず、相互の上端部を連接して下方部を相互に離反可能な構成とすることもできる。また、支持片７、載置片９、貼着片１０、補強片１１、当接片１３、開口貼着片６を含む開口部１４、蓋部１７等の形状、寸法、材質等を適宜変更して実施することが可能である。また、貼着部Ｐにおいても、適宜箇所に変更して実施することが可能である。また、一部構成を省略することができるし、一部抽出した構成とすることができるのは勿論である。
【符号の説明】
【００６７】
１      第１側部
２      第２側部
３      延設部
４      第１線
５      第２線
６      開口貼着片
７      支持片
７ａ    上方支持片
７ｂ    下方支持片
８      保持部
９      載置片
１０    貼着片
１１    補強片
１２    第３線
１３    当接片
１４    開口部
１５    収容空間
１６    底部
１７    蓋部
１８    蓋部片
１９    折曲片
２０    引き上げ片
２１    内側当接片
２２    切込線
２３    側部補強片
２４    解除片
２５    係止片
２６    突片
Ｂ      被包装物
Ｐ      貼着部
ａ〜ｋ  折線
【図１】
0006281776.tif 000002
【図２】
0006281776.tif 000003
【図３】
0006281776.tif 000004
【図４】
0006281776.tif 000005
【図５】
0006281776.tif 000006
【図６】
0006281776.tif 000007
【図７】
0006281776.tif 000008
【図８】
0006281776.tif 000009
【図９】
0006281776.tif 000010
【図１０】
0006281776.tif 000011
【図１１】
0006281776.tif 000012
【図１２】
0006281776.tif 000013
【図１３】
0006281776.tif 000014
【図１４】
0006281776.tif 000015
【図１５】
0006281776.tif 000016
【図１６】
0006281776.tif 000017
【図１７】
0006281776.tif 000018
【図１８】
0006281776.tif 000019